(57)【特許請求の範囲】
【請求項１】
下端が水路の底部から離間して設置される粗目スクリーンと、
前記粗目スクリーンの下流側に粗目スクリーンと平行に設置され、上端が粗目スクリーンの上端よりも低位に位置する細目スクリーンと、
前記粗目スクリーンおよび前記細目スクリーンに沿ってトラック状に配設される無端チェーンと、
前記無端チェーンに取り付けられ、前記粗目スクリーンの前面を上方向に掻き揚げる粗目レーキと、
前記無端チェーンに取り付けられ、前記細目スクリーンの前面を下方向に掻き寄せる細目レーキと、
前記粗目スクリーンと前記細目スクリーンとの間に設けられ、前記粗目スクリーンとの間でし渣を遮蔽し、前記細目スクリーンとの間で前記粗目レーキおよび細目レーキの通過が可能なし渣捕捉路を形成する中間遮蔽体と、
前記細目スクリーンの目開部を挿通する複数のスクリーンバーからなり、前記し渣捕捉路における前記粗目レーキおよび前記細目レーキの通過時には前記細目スクリーンの後方に退避し、前記粗目レーキおよび前記細目レーキの通過後には前記細目スクリーンの目開部から前記し渣捕捉路に突出してし渣捕捉路を閉じる蓋スクリーンと、
を備え、
非常増水時に水位が前記細目スクリーンの上端よりも上昇したとき、前記粗目スクリーンを通過したし渣が前記細目スクリーンの上方スペースからそのまま下流に流れ、
前記蓋スクリーンは、当該蓋スクリーンよりも上方に位置する回転軸を中心に回転することを特徴とする除塵機。
【請求項２】
前記蓋スクリーンの可動機構は、前記無端チェーンに取り付けた第１カム部材と、前記蓋スクリーンに一体に取り付けられ、前記第１カム部材との接離により作動する第２カム部材とからなるカム機構を含むことを特徴とする請求項１に記載の除塵機。
【請求項３】
前記蓋スクリーンは、前記第１カム部材が前記第２カム部材を押圧することにより前記細目スクリーンの後方に退避し、前記第１カム部材が前記第２カム部材から離脱したときには重力により前記し渣捕捉路に突出することを特徴とする請求項２に記載の除塵機。
【請求項４】
前記粗目レーキと前記細目レーキとが一体成形品からなることを特徴とする請求項１ないし請求項３のいずれか一項に記載の除塵機。
【発明の詳細な説明】
【技術分野】
【０００１】
本発明は、下水処理施設等に設置され、水路中の塵（以降、し渣という）を除去する除塵機に関するものである。
【背景技術】
【０００２】
下端が水路の底部から離間して設置される前スクリーンと、この前スクリーンの下流側に設置される後スクリーンと、を備えた背面降下前面掻揚式除塵機として特許文献１に記載のものが挙げられる。前スクリーンの下端はレーキ通過用の空間を確保するために水路の底部から離間している。前スクリーンの下端と水路の底部との間を通過したし渣は後スクリーンにより捕捉される。
【０００３】
特許文献１は、前スクリーンと後スクリーンとの間に案内板と中間スクリーンを設け、いずれかのレーキを案内板と中間スクリーンの上端との間に必ず位置させることにより、し渣をいずれかのレーキによって捕捉する技術に関する。
【０００４】
また、特許文献２には、主スクリーンの下端と水路の底部との間に可動式の補助スクリーンを設け、この補助スクリーンによりし渣の通過を阻止する技術が記載されている。
【先行技術文献】
【特許文献】
【０００５】
【特許文献１】特公平７−８８７号公報
【特許文献２】特開２００２−１６７７３５号公報
【発明の概要】
【発明が解決しようとする課題】
【０００６】
特許文献１、２の技術は、いずれもし渣の大きさを問わずし渣の通過を阻止する技術であるため、細目用のスクリーンが設けられており、大雨等により下水の流入量が非常に多くなると、スクリーンに捕捉されたし渣の掻揚げが間に合わず細かいし渣により目詰まりを生じさせ、上流側の水位が下流側より上昇して下水が溢れるおそれがある。そのため、大雨等の非常時には、上流側の下水を下流側に流すという処理を求められる場合がある。
しかし、特許文献１、２の技術は、増水時に目詰まりの原因となる細かいし渣をスクリーンで捕捉することなく下流に流す機能は何ら備えていない。
【０００７】
また、し渣を捕捉する技術の問題として、特許文献１の技術は、いずれかのレーキを案内板と中間スクリーンの上端との間に必ず位置させる構造であることから、レーキの取り付けピッチの制約を受けるという問題がある。特許文献２の技術では、補助スクリーンが水路の底部周りに配設されることから、水路の底部に溜まる砂泥状のし渣に補助スクリーンが埋まってしまい、そのままし渣が補助スクリーンに付着して固化し、補助スクリーンのスムースな可動を維持できないおそれがある。また、特許文献２の技術では、補助スクリーンの歯の間にレーキの歯が通過する構造であるため、補助スクリーンに汚泥が固化していると、レーキの歯が噛み込んで損傷するおそれもある。
【０００８】
本発明は、このような問題を解決するために創作されたものであり、大雨等の非常増水時に、細かいし渣をスクリーンで捕捉することなく下流に流すことができる除塵機を提供することを目的とする。さらに、例えば通常水位時にスクリーンでし渣を捕捉するにあたり、レーキの取り付けピッチの制約を受けず、かつ水路の底部に溜まる砂泥状のし渣の影響を受けにくい除塵機を提供することを目的とする。
【課題を解決するための手段】
【０００９】
前記課題を解決するため、本発明に係る除塵機は、下端が水路の底部から離間して設置される粗目スクリーンと、前記粗目スクリーンの下流側に粗目スクリーンと平行に設置され、上端が粗目スクリーンの上端よりも低位に位置する細目スクリーンと、前記粗目スクリーンおよび前記細目スクリーンに沿ってトラック状に配設される無端チェーンと、前記無端チェーンに取り付けられ、前記粗目スクリーンの前面を上方向に掻き揚げる粗目レーキと、前記無端チェーンに取り付けられ、前記細目スクリーンの前面を下方向に掻き寄せる細目レーキと、前記粗目スクリーンと前記細目スクリーンとの間に設けられ、前記粗目スクリーンとの間でし渣を遮蔽し、前記細目スクリーンとの間で前記粗目レーキおよび細目レーキの通過が可能なし渣捕捉路を形成する中間遮蔽体と、前記細目スクリーンの目開部を挿通する複数のスクリーンバーからなり、前記し渣捕捉路における前記粗目レーキおよび前記細目レーキの通過時には前記細目スクリーンの後方に退避し、前記粗目レーキおよび前記細目レーキの通過後には前記細目スクリーンの目開部から前記し渣捕捉路に突出してし渣捕捉路を閉じる蓋スクリーンと、を備え、非常増水時に水位が前記細目スクリーンの上端よりも上昇したとき、前記粗目スクリーンを通過したし渣が前記細目スクリーンの上方スペースからそのまま下流に流れ、前記蓋スクリーンは、当該蓋スクリーンよりも上方に位置する回転軸を中心に回転することを特徴とする。
【００１０】
この除塵機によれば、大雨等による非常増水時に、粗目スクリーンを通過したし渣が細目スクリーンの上方スペースからそのまま下流に流れる。粗目スクリーンは粗目に形成されていることから、スクリーンの目詰まりが生じにくくなり、これにより水路内の下水の流れが確保される。
【００１２】
この除塵機によれば、粗目スクリーンの下方を通過したし渣の流出を防ぐにあたり、レーキがし渣捕捉路に位置していないときでも蓋スクリーンによってし渣の流出を防止できる。したがって、し渣捕捉路に必ずレーキを位置させる必要がなくなり、無端チェーンにおけるレーキの取り付けピッチの制約を受けることなく、例えば従来に比してレーキの取り付けピッチを大きく設定できる。
また、蓋スクリーンは、レーキの通過時には細目スクリーンの後方に退避し、レーキの通過後には細目スクリーンの目開部からし渣捕捉路に突出する構造であるため、水路の底部に溜まった砂泥の影響を受けない。したがって、蓋スクリーンのスムースな可動が長期にわたり維持され、汚泥に起因する歯の噛み込みによってレーキが損傷することもない。
【００１３】
また、本発明に係る除塵機は、前記蓋スクリーンの可動機構は、前記無端チェーンに取り付けた第１カム部材と、前記蓋スクリーンに一体に取り付けられ、前記第１カム部材との接離により作動する第２カム部材とからなるカム機構を含むことを特徴とする。
【００１４】
この除塵機によれば、レーキの移動に対して蓋スクリーンを簡単な構造で連動開閉させることができる。
【００１５】
また、本発明に係る除塵機は、前記蓋スクリーンは、前記第１カム部材が前記第２カム部材を押圧することにより前記細目スクリーンの後方に退避し、前記第１カム部材が前記第２カム部材から離脱したときには重力により前記し渣捕捉路に突出することを特徴とする。
【００１６】
この除塵機によれば、より一層、レーキの移動に対して蓋スクリーンを簡単な構造で連動開閉させることができる。
【００１７】
また、本発明に係る除塵機は、前記粗目レーキと前記細目レーキとが一体成形品からなることを特徴とする。
【００１８】
この除塵機によれば、粗目レーキと細目レーキとを一体成形品とすることにより、部品点数の低減および組み付け作業の向上を図ることができる。
【発明の効果】
【００１９】
本発明によれば、大雨等による非常増水時に、細かいし渣をスクリーンで捕捉することなく下流に流すことができる。これにより、スクリーンの目詰まりが生じることがなくなり、非常増水時における水路内の下水の流れが確保される。
また、例えば通常水位時において粗目スクリーンの下方を通過したし渣の流出を防ぐにあたり、レーキがし渣捕捉路に位置していないときでも蓋スクリーンによってし渣の流出を防止できるため、無端チェーンにおけるレーキの取り付けピッチの制約を受けることがない。また、水路の底部に溜まった砂泥の影響を受けることなく、蓋スクリーンのスムースな可動が長期にわたり維持され、汚泥に起因する歯の噛み込みによってレーキが損傷することもない。
【図面の簡単な説明】
【００２０】
【図１】本発明の第１実施形態に係る除塵機の全体説明図であり、（ａ）、（ｂ）はそれぞれ側面図、正面図である。
【図２】図１におけるＡ−Ａ断面図である。
【図３】本発明の第２実施形態に係る除塵機の全体説明図であり、（ａ）、（ｂ）はそれぞれ側面図、正面図である。
【図４】本発明の第２実施形態の図面であり、蓋スクリーン周りの部分側面図である。
【図５】本発明の第２実施形態の図面であり、蓋スクリーン周りの正面図である。
【図６】本発明の第２実施形態の図面であり、（ａ）、（ｂ）は除塵機の側面作用図である。
【発明を実施するための形態】
【００２１】
「第１実施形態」
図１（ａ）、（ｂ）において、除塵機１は矩形断面を呈する水路に設置されている。除塵機１は、後記するレーキ９を通過させるべく下端が水路の底部から離間して設置される粗目スクリーン２と、粗目スクリーン２の下流側に粗目スクリーン２と平行に水路の底部に設置され、上端が粗目スクリーン２の上端よりも低位に位置する細目スクリーン３とを有する。粗目スクリーン２は複数の縦引きのスクリーンバー２Ａを水路幅方向に粗目の間隔で並設した構成からなり、同様に細目スクリーン３も複数の縦引きのスクリーンバー３Ａを水路幅方向に細目の間隔で並設した構成からなる。
【００２２】
水路の天井には開口部４が設けられ、粗目スクリーン２の上部は開口部４を貫通して天井上の区画まで延設されている。天井上の区画に設置された水路幅方向を軸方向とする駆動スプロケット５と、粗目スクリーン２の下方に設置された水路幅方向を軸方向とする従動スプロケット６との間には、側面視して粗目スクリーン２の前面および細目スクリーン３の前面に沿う一対の直線軌道を有するように無端チェーン７がトラック状に掛け回される。無端チェーン７は図１（ａ）における時計回りに循環移動する。駆動スプロケット５と従動スプロケット６と無端チェーン７とは、粗目スクリーン２の両脇に一対として配設されている。なお、無端チェーン７には間隔を空けてガイドローラ（図示せず）が取り付けられており、このガイドローラが図示しないガイドレールに案内されることで、無端チェーン７の移動軌跡が保持される。
【００２３】
細目スクリーン３は、その下端周りが従動スプロケット６上の無端チェーン７の円弧軌跡に合わせて円弧状に形成されている。細目スクリーン３の上端の位置は通常水位Ｌ１よりも若干突出する程度の位置である。
【００２４】
無端チェーン７にはブラケット８を介してレーキ９が所定のピッチ（後記するように少なくとも一つのレーキが必ずし渣捕捉路１２に位置するピッチ）で取り付けられている。ブラケット８は例えば側断面コ字形を呈する溝形鋼であり、レーキ９はこの溝形鋼の一方のフランジに固設される。レーキ９は略矩形の平板部材からなり、図２に示すように、水路方向の一端側、他端側に櫛状の歯９Ａ，９Ｂが形成されている。歯９Ａは、粗目スクリーン２の粗目の目開部に挿入される歯であり、歯幅が大きく形成されている。歯９Ｂは、細目スクリーン３の細目の目開部に挿入される歯であり、歯幅が小さく形成されている。
【００２５】
無端チェーン７（図１）の循環移動により、レーキ９は、歯９Ａが粗目スクリーン２の目開部に挿入した状態で上方に移動することで粗目スクリーン２の前面のし渣を掻き揚げる。掻き揚げられたし渣は天井上の区画に配されたホッパ１０（図１）に投入される。また、レーキ９は、歯９Ｂが細目スクリーン３の目開部に挿入した状態で下方に移動することで細目スクリーン３の前面のし渣を掻き下げる。掻き下げられたし渣はそのままレーキ９に捕捉された状態で粗目スクリーン２の前面を通ってホッパ１０（図１）に投入される。以上から判るように、レーキ９は、歯９Ａにより粗目スクリーン２の前面を上方向に掻き揚げる粗目レーキとしての機能と、歯９Ｂにより細目スクリーン３の前面を下方向に掻き寄せる細目レーキとしての機能とを有する。つまり、本実施形態において粗目レーキと細目レーキとは一体成形品から構成される。
【００２６】
図１に示すように、粗目スクリーン２と細目スクリーン３との間には中間遮蔽体１１が設けられる。中間遮蔽体１１は、粗目スクリーン２との間においてはし渣を遮蔽し、細目スクリーン３との間においては、レーキ９の通過が可能であって、粗目スクリーン２の下方を通過するし渣を捕捉するためのし渣捕捉路１２を形成する。
【００２７】
中間遮蔽体１１は、蓋板１３と中間スクリーン１４とから構成される。中間スクリーン１４は、複数の縦引きのスクリーンバー１４Ａを水路幅方向に並設した構成からなり、粗目スクリーン２および細目スクリーン３に対して平行に設けられている。スクリーンバー１４Ａは粗目スクリーン２のスクリーンバー２Ａの目開部の間隔と同じ、つまり粗目の間隔で並設されている。中間スクリーン１４の目開部にはレーキ９の歯９Ａが挿通する。中間スクリーン１４は、その下端は粗目スクリーン２の下端と略同じ高さに位置しており、その上端は通常水位Ｌ１よりも若干突出する程度であって、細目スクリーン３の上端よりも若干高い位置にある。そして、中間スクリーン１４の上端と粗目スクリーン２との間に、ほぼ水路幅全体にわたる矩形平板状の蓋板１３が取り付けられている。以上により、粗目スクリーン２の下方を通過したし渣は、蓋板１３に遮られて粗目スクリーン２と中間スクリーン１４との間から流出することなく、し渣捕捉路１２に流れ込む。複数のレーキ９の内の少なくとも一つは必ずし渣捕捉路１２に位置するようになっているので、し渣捕捉路１２に流れ込んだし渣はレーキ９によって確実に捕捉される。
【００２８】
「作用」
図１に示すように、通常水位Ｌ１においては、細目スクリーン３の上端が通常水位Ｌ１よりも上方に位置しているため、全てのし渣は細目スクリーン３により捕捉される。
細目スクリーン３により捕捉されたし渣は、レーキ９の移動の間に大きくなり、上流側の粗目スクリーン２に捕捉され、ホッパ１０に排出されることになる。
そして、大雨等による非常増水時の増水水位Ｌ２においては、粗目スクリーン２を通過したし渣が細目スクリーン３の上方スペースからそのまま下流に流れる。
【００２９】
従来の除塵機は、上流側のスクリーンと下流側のスクリーンとは同じ目開部に設定されており、し渣の捕捉という機能上、いわば上流側のスクリーンと下流側のスクリーンとの両方に本発明の「細目スクリーン」を配した構造といえる。これに対し本発明によれば、上流側の粗目スクリーン２は粗目に形成されていることから、非常増水時においてスクリーンの目詰まりが低減され、水路内の下水の流れが確保される。粗目スクリーン２の目開き寸法は、非常増水時にそのまま流したいし渣の大きさを考慮して水路毎に適宜に設定されるものである。
【００３０】
「第２実施形態」
図３〜図６を参照して第２実施形態について説明する。なお、第１実施形態と同じ構成要素には同一の符号を付してその説明は省略する。第２実施形態の除塵機１は、し渣捕捉路１２におけるレーキ９の通過時には細目スクリーン３の後方に退避し、レーキ９の通過後には細目スクリーン３の目開部からし渣捕捉路１２に突出してし渣捕捉路１２を閉じる蓋スクリーン１５を備えることを特徴とする。本実施形態の蓋スクリーン１５の可動機構はカム機構を含む。このカム機構は、無端チェーン７に取り付けられた第１カム部材と、蓋スクリーン１５に一体に取り付けられ、第１カム部材との接離により作動する第２カム部材とから構成される。この第２実施形態では、レーキ９を必ずし渣捕捉路１２に位置させる必要はなく、第１実施形態よりも大きな取付ピッチにすることが可能である。
【００３１】
具体的に説明すると、蓋スクリーン１５は、図４、図５に示すように、複数の円弧状のスクリーンバー１５Ａを水路幅方向に並設した構成からなる。スクリーンバー１５Ａはその凸形状側が水路底部側に臨むように位置しており、下流側の各端部が水路幅方向に延設した連結部材１６により連結されることで一体化されている。蓋スクリーン１５は、水路幅方向を軸方向とする回転軸１７回りに回転する。回転軸１７は、細目スクリーン３の上端よりも上方かつ下流側に位置している。スクリーンバー１５Ａは、回転軸１７からの曲率半径が一定となるように形成されている。
【００３２】
前記カム機構として、無端チェーン７にはアタッチメント１８を介して第１カム部材としてのカムストライカ１９が取り付けられ、前記連結部材１６の両端には第２カム部材としてのカム板２０が取り付けられている。カムストライカ１９は各レーキ９の横に位置している。カム板２０の上端は、水路側壁に設けた前記回転軸１７回りに回転自在に取り付けられる。カム板２０は側面視略三角形状を呈した平板部材であり、その一辺は凹状の曲線からなるカム面２０Ａを形成している。蓋スクリーン１５とカム板２０とは連結部材１６により一体となって回転軸１７回りに回転する。
【００３３】
また、カム板２０にはウェイト２１が一体に取り付けられている。このウェイト２１は蓋スクリーン１５を常にし渣捕捉路１２に突出させる方向に付勢する。なお、図５に示すように、カム板２０とウェイト２１は、片側に設けられているが、両側に設けてもよい。
【００３４】
「作用」
非常増水時におけるスクリーンの目詰まり抑制の作用は第１実施形態と同じである。すなわち、増水水位Ｌ２においては、粗目スクリーン２を通過したし渣が細目スクリーン３の上方スペースからそのまま下流に流れる。
【００３５】
し渣捕捉路１２におけるし渣の捕捉の作用は次の通りである。図４に示すように、レーキ９がし渣捕捉路１２に位置していないとき、カム板２０はカムストライカ１９と接触していないため、ウェイト２１の重力作用によって蓋スクリーン１５が図４に示すように細目スクリーン３の目開部からし渣捕捉路１２に突出する。蓋スクリーン１５の先端周りは中間スクリーン１４の目開部に挿入される。
これにより、し渣捕捉路１２は中間スクリーン１４と細目スクリーン３と蓋スクリーン１５とによって囲まれて袋小路となり、粗目スクリーン２の下方を通過してきたし渣は、中間スクリーン１４、細目スクリーン３、蓋スクリーン１５のいずれかにより捕捉されることになり、下流へのし渣の流出が防止される。
【００３６】
次いで、レーキ９がし渣捕捉路１２に進入すると、図６（ａ）に示すようにカムストライカ１９がウェイト２１の付勢力に抗してカム板２０のカム面２０Ａを押圧することにより、蓋スクリーン１５が回転軸１７を中心として反時計回りに回転し、図６（ｂ）に示すようにレーキ９の通過時には蓋スクリーン１５はレーキ９との干渉を避けるために細目スクリーン３の後方に退避する。そして、中間スクリーン１４、細目スクリーン３、蓋スクリーン１５のいずれかにより捕捉されていたし渣はレーキ９によって掻き下げられる。具体的には、蓋スクリーン１５に捕捉されていたし渣は、蓋スクリーン１５が後退することにより細目スクリーン３側に移されるか、し渣捕捉路１２内に浮遊する状態となる。レーキ９は、し渣捕捉路１２内に浮遊したし渣を捕捉するとともに、歯９Ａ、９Ｂがそれぞれ中間スクリーン１４、細目スクリーン３の目開部に挿入することで、し渣を掻き下げる。掻き下げられたし渣はそのままレーキ９に捕捉された状態で粗目スクリーン２の前面を通ってホッパ１０（図３（ａ））に投入される。レーキ９の通過後には、カムストライカ１９がカム板２０から離れ、ウェイト２１の重力作用によって蓋スクリーン１５が再び図４に示すように細目スクリーン３の目開部からし渣捕捉路１２に突出する。
【００３７】
以上のように、粗目スクリーン２と細目スクリーン３との間に設けられ、粗目スクリーン２との間でし渣を遮蔽し、細目スクリーン３との間でレーキ９の通過が可能なし渣捕捉路１２を形成する中間遮蔽体１１（蓋板１３、中間スクリーン１４）と、し渣捕捉路１２におけるレーキ９の通過時には細目スクリーン３の後方に退避し、レーキ９の通過後には細目スクリーン３の目開部からし渣捕捉路１２に突出してし渣捕捉路１２を閉じる蓋スクリーン１５と、を備えた除塵機１とすることにより、粗目スクリーン２の下方を通過したし渣の流出を防ぐにあたり、レーキ９がし渣捕捉路１２に位置していないときでも蓋スクリーン１５によってし渣の流出を防止できる。したがって、し渣捕捉路１２に必ずレーキ９を位置させる必要がなくなり、無端チェーン７におけるレーキ９の取り付けピッチの制約を受けることなく、例えば従来に比してレーキ９の取り付けピッチを大きく設定できる。
【００３８】
また、蓋スクリーン１５は、レーキ９の通過時には細目スクリーン３の後方に退避し、レーキ９の通過後には細目スクリーン３の目開部からし渣捕捉路１２に突出する構造であり、水路の底部に溜まった砂泥の影響を受けない。したがって、蓋スクリーン１５のスムースな可動が長期にわたり維持され、汚泥に起因する歯の噛み込みによってレーキ９が損傷することもない。
【００３９】
さらに、蓋スクリーン１５の可動機構として、無端チェーン７に取り付けた第１カム部材（カムストライカ１９）と、蓋スクリーン１５に一体に取り付けられ、第１カム部材（カムストライカ１９）との接離により作動する第２カム部材（カム板２０）とからなるカム機構を含む構成とすれば、レーキ９の移動に対して蓋スクリーン１５を簡単な構造で連動開閉させることができる。
【００４０】
本実施形態のように、蓋スクリーン１５は、第１カム部材が第２カム部材を押圧することにより、細目スクリーン３の後方に退避し、第１カム部材が第２カム部材から離脱したときには重力によりし渣捕捉路１２に突出する構造とすれば、より一層、レーキ９の移動に対して蓋スクリーン１５を簡単な構造で連動開閉させることができる。
【００４１】
以上、本発明の好適な実施形態を説明したが、本発明は図面に記載したものに限定されることなく、その趣旨を逸脱しない範囲で様々な設計変更が可能である。
説明した実施形態では、粗目スクリーン２の前面を上方向に掻き揚げる粗目レーキと、細目スクリーン３の前面を下方向に掻き寄せる細目レーキとを一体成形品のレーキ９から構成したが、粗目レーキと細目レーキとをそれぞれ別の部材から構成してもよい。
【００４２】
また、説明したカム機構では、第１カム部材が第２カム部材から離脱したとき、蓋スクリーン１５がウェイト２１を利用した重力によりし渣捕捉路１２に突出する構造としたが、ウェイト２１に代えて、蓋スクリーン１５を常にし渣捕捉路１２に突出させる方向に付勢するばね部材を設ける構造にしてもよい。
また、説明したカム機構では、第１カム部材をカムストライカ１９とし、第２カム部材をカム板２０としたが、逆に第１カム部材をカム板２０とし、第２カム部材をカムストライカ１９にしてもよい。
【符号の説明】
【００４３】
１      除塵機
２      粗目スクリーン
３      細目スクリーン
７      無端チェーン
９      レーキ
１０      ホッパ
１１      中間遮蔽体
１２      し渣捕捉路
１３      蓋体
１４      中間スクリーン
１５      蓋スクリーン
１９      カムストライカ
２０      カム板
２１      ウェイト
【図１】
0005809932.tif 000002
【図２】
0005809932.tif 000003
【図３】
0005809932.tif 000004
【図４】
0005809932.tif 000005
【図５】
0005809932.tif 000006
【図６】
0005809932.tif 000007